(57)【要約】【課題】  本考案は、コンパクトで持ち運びに便利であり、且つ特別な動力源を必要としないで、ペースト施肥田植機の施肥田植機タンクにペースト肥料の張り込みや農薬撒布のラジコンヘリコプターのタンクに薬液の注入に使用できる液体注入機を提供することを目的とする。【解決手段】  本考案の液体注入機は、架台上に設置固定され、車載バッテリー２に接続された制御ボックス３及び該制御ボックス３の注入用ポンプ駆動リレー１１に制御電線で接続された注入用ポンプ４と、該注入用ポンプ４の吸入口側とペースト肥料タンク１とを接続する一方のカプラ−脱着式ビニルホース５と、前記注入用ポンプ４の吐出口側に接続され、先端に吐出ノズル７を備えた他方のカプラ−脱着式ビニルホース５と、前記吐出ノズル７に配置され、前記制御ボックス３の注入用ポンプ駆動リレー１１に接続された手元スイッチ６とからなるものである【選択図】  図１
0003109844.tif 000002
【実用新案登録請求の範囲】
【請求項１】
架台上に設置固定され、車載バッテリーに接続された制御ボックス及び該制御ボックスの注入用ポンプ駆動リレーに制御電線で接続された注入用ポンプと、該注入用ポンプの吸入口側とペースト肥料タンクとを接続する一方のカプラ−脱着式ビニルホースと、前記注入用ポンプの吐出口側に接続され、先端に吐出ノズルを備えた他方のカプラ−脱着式ビニルホースと、前記吐出ノズルに配置され、前記制御ボックスの注入用ポンプ駆動リレーに接続された手元スイッチとからなることを特徴とする液体注入機。
【考案の詳細な説明】
【技術分野】
【０００１】
本考案は、ペースト施肥田植機のタンクにペースト肥料を張り込む場合や農薬撒布のラジコンヘリコプターのタンクに薬液を注入する場合に使用される液体注入機に関する。
【背景技術】
【０００２】
従来、ペースト肥料をペースト施肥田植機のタンクに張り込むのに肥料袋又は肥料タンクから直接バケツ等に移し替えて人手によって張り込んでいた。
この作業を人手によって農道又は圃場の畦で行うので重量の負担、能率が上がらないなどの不便があった。
バッテリー電源の薬液注入機は、注入時に吐出ノズルをペースト施肥田植機のタンクまで送出ホースを伸ばし、手元スイッチで始動するので、注入都度の準備が不要となり、オペレーター１人でも能率が上がる作業が可能である。
また、農薬撒布のラジコンヘリコプターのタンクに薬液を注入する場合も同様に、この作業を農道又は圃場の畦で行うので重量の負担、能率が上がらないなどの不便があった。
このような補給作業を機械的に行う肥料補給機は従来公知となっており、この公知技術は機台上に設けた原動機（エンジン）により駆動されるポンプを設置し、レバーを引張るとノズルのバルブが開き、ペースト状肥料が肥料貯留タンクからポンプ、送出ホース、ノズルを介して田植機の肥料タンクに注入されるものである（特許文献１を参照）。
【特許文献１】特公平６−１６６５５号公報
【考案の開示】
【考案が解決しようとする課題】
【０００３】
本考案は、コンパクトで持ち運びに便利であり、且つ特別な動力源を必要としないで、ペースト施肥田植機の施肥田植機タンクにペースト肥料の張り込みや農薬撒布のラジコンヘリコプターのタンクに薬液の注入に使用できる液体注入機を提供することを目的とする。
【課題を解決するための手段】
【０００４】
本考案の液体注入機は、架台上に設置固定され、車載バッテリーに接続された制御ボックス及び該制御ボックスの注入用ポンプ駆動リレーに制御電線で接続された注入用ポンプと、該注入用ポンプの吸入口側とペースト肥料タンクとを接続する一方のカプラ−脱着式ビニルホースと、前記注入用ポンプの吐出口側に接続され、先端に吐出ノズルを備えた他方のカプラ−脱着式ビニルホースと、前記吐出ノズルに配置され、前記制御ボックスの注入用ポンプ駆動リレーに接続された手元スイッチとからなるものである。
【考案の効果】
【０００５】
本考案の液体注入機は、注入用ポンプの動力源を移送用トラックのバッテリーから給電しているので、特別な動力源を必要としないし、始動／停止を吐出ノズルの手元スイッチで簡単に行える。
バッテリー電源の薬液注入機は、注入時に吐出ノズルをペースト施肥田植機のタンクまで送出ホースを伸ばし、手元スイッチで始動するので、注入都度の準備が不要となり、オペレーター１人でも能率が上がる作業が可能である。
また、本考案の液体注入機は、架台上に注入ポンプ及び制御ボックスが一体に設置されているので、コンパクトで持ち運びに便利である。
さらに、本考案の液体注入機は、トラック荷台のペースト肥料タンクからペースト施肥田植機のタンクに直接張り込むことができるのでペースト肥料の飛沫による汚れもなく、ペースト肥料の農薬混合はタンク内で楽に出来るので省力化が図れる。
【考案を実施するための最良の形態】
【０００６】
本考案の液体注入機の一実施例を図面に基づいて、以下に説明する。
図１のシステム構成図に示すように、１はペースト肥料タンク、２はバッテリー、３は制御ボックス、４は注入用ポンプ、５はカプラ−脱着式ビニルホース、６は手元スイッチ、７は吐出ノズル、８は施肥田植機タンク、９はバッテリー保護用ブレーカー、１０は注入用ポンプ保護用ブレーカー、１１は注入用ポンプ駆動リレー、１２は開閉用バルブである。
本考案の液体注入機は、肥料又は薬液による錆を防止するため、ステンレス製の矩形板状の架台上に制御ボックス３及び注入用ポンプ４をそれぞれ固定設置する。
前記制御ボックス３は、トラックに車載されているバッテリー２に制御電線により結線されて駆動制御を行い、前記注入用ポンプ４及び手元スイッチ６ともそれぞれ制御電線により接続される。
そして、前記制御ボックス３には、安全装置としてのバッテリー保護用ブレーカー９及び注入用ポンプ保護用ブレーカー１０が設けられ、前記注入用ポンプ４の駆動／停止を行う注入用ポンプ駆動リレー１１が設けられる。
【０００７】
前記注入用ポンプ４は、例えば海水汲み上げに用いられる耐腐食性の電動モーターポンプを利用し、前記バッテリー（軽トラックではＤＣ１２Ｖの電力に増幅機を追加し、小型トラックではＤＣ２４Ｖ）２を電源として使用する。
前記注入ポンプ４の吸入口側にはペースト肥料タンク１に接続されたカプラ−脱着式ビニルホース５が接続され、前記注入ポンプ４の吐出口側には先端に吐出ノズル７を備えたカプラ−脱着式ビニルホース５が接続される。
前記吐出ノズル７には、前記制御ボックス３と制御電線で接続された手元スイッチ６が設けられ、該手元スイッチ６により前記注入用ポンプ駆動リレー１１を介して前記注入用ポンプ４の駆動／停止を行うことができる。
また、前記吐出ノズル７には、手動による開閉用バルブ１２が設けられ、前記カプラ−脱着式ビニルホース５からペースト肥料の液漏れを防止する。
【０００８】
次に、本考案の液体注入機の動作を図面に基づいて、以下に説明する。
図２の使用状態図に示すように、ペースト肥料タンク１を荷台に載せたトラックを農道の圃場側に停車させ、一方、ペースト施肥田植機を圃場の農道側に寄せる。
本考案の液体注入機、すなわち制御ボックス３及び注入用ポンプ４が固定された架台をトラック荷台に載せ、前記ペースト肥料タンク１と注入用ポンプ４の吸入口側とをカプラ−脱着式ビニルホース５で接続し、もう一方の前記注入用ポンプ４の吐出口側に吐出ノズル７を備えたカプラ−脱着式ビニルホース５を接続する。
なお、予め前記カプラ−脱着式ビニルホース５を前記ペースト肥料タンクと注入用ポンプ４の吸入口側及び吐出口側にそれぞれ接続しておいても良い。
また、トラックで肥料を搬送するので、コンパクトな本考案の液体注入機を載せて同時移動が可能となり、トラックバッテリーに接続すれば直ぐ作動（駆動）出来る状態となる。
そして、吐出ノズル７をペースト施肥田植機の施肥田植機タンク８に持って行き、開閉用バルブ１２を開き、手元スイッチ６で注入用ポンプ駆動リレー１１を介して前記注入用ポンプ４の駆動を行い、ペースト肥料の張り込み開始する。
施肥田植機タンク８が満タンになったら手元スイッチ６で注入用ポンプ駆動リレー１１を介して前記注入用ポンプ４の停止を行い、張り込みを停止する。
さらに、前記カプラ−脱着式ビニルホース５内のペースト肥料の液漏れ防止のため、前記開閉用バルブ１２を閉じる。
なお、本考案の一実施例をペースト施肥田植機の施肥田植機タンクにペースト肥料を補給する場合により説明したが、同様の構成により農薬撒布のラジコンヘリコプターのタンクに薬液を注入する場合にも使用できる。
【図面の簡単な説明】
【０００９】
【図１】本考案の液体注入機のシステム構成図である。
【図２】本考案の液体注入機の使用状態図である。
【符号の説明】
【００１０】
１  ペースト肥料タンク
２  バッテリー
３  制御ボックス
４  注入用ポンプ
５  カプラ−脱着式ビニルホース
６  手元スイッチ
７  吐出ノズル
８  施肥田植機タンク
９  バッテリー保護用ブレーカー
１０  注入用ポンプ保護用ブレーカー
１１  注入用ポンプ駆動リレー
１２  開閉用バルブ
【図１】
0003109844.tif 000003
【図２】
0003109844.tif 000004